(57)【要約】【課題】表示部における画面情報を自動的に設定するための表示駆動装置を提供すること。【解決手段】本発明に係る表示駆動装置１００は、ＬＣＤ１５０のうちのうち、駆動させる画素の駆動位置を示す画面情報を記憶するＥＥＰＲＯＭ１４２と、不揮発性記憶手段と、電源投入に同期して、このＥＥＰＲＯＭ１４２から画面情報を読出すＲＯＭ制御回路１４０と、ＬＣＤ駆動回路１２４に対して、この読出された画面情報に基づく駆動位置を設定する制御回路１１２とを有する。【選択図】        図２
2004294524.tif 000002
【特許請求の範囲】
【請求項１】
画素が形成された表示部を駆動する駆動手段と、
前記表示部のうち、駆動させる画素の位置を示す画面情報を記憶する不揮発性記憶手段と、
前記不揮発性記憶手段から画面情報を読出す読出手段と、
前記駆動手段に対して、前記読出手段により読出された画面情報に基づく位置を設定する駆動設定手段とを有することを特徴とする表示駆動装置。
【請求項２】
請求項１に記載の表示駆動装置において、
前記読出手段は、電圧を供給する電源回路から電源電圧が供給されるのに同期して、前記不揮発性記憶手段から画面情報を読出すことを特徴とする表示駆動装置。
【請求項３】
請求項１または２に記載の表示駆動装置において、
前記読出手段は、前記不揮発性記憶手段から画面情報を所定期間毎に読出すことを特徴とする表示駆動装置。
【請求項４】
請求項１乃至３のいずれかに記載の表示駆動装置において、
前記不揮発性記憶手段には、表示情報が記憶されており、
前記読出手段は、前記不揮発性記憶手段から表示情報を読出し、
前記駆動手段は、前記読出手段により読出された表示情報を、前記表示部に表示させることを特徴とする表示駆動装置。
【請求項５】
請求項１乃至４のいずれかに記載の表示駆動装置を備えたことを特徴とする電気光学装置。
【請求項６】
請求項５に記載の電気光学装置を備えたことを特徴とする電子機器。
【請求項７】
画素が形成された表示部のうち、駆動させる画素の位置を示す画面情報を記憶する不揮発性記憶手段から画面情報を読出し、
読出された画面情報に基づく位置を設定し、
前記表示部における該設定された位置を駆動することを特徴とする表示駆動装置の駆動設定方法。
【発明の詳細な説明】
【０００１】
【発明の属する技術分野】
本発明は、表示駆動装置、電気光学装置および電子機器、表示駆動装置の駆動設定方法に関する。
【０００２】
【従来の技術】
ＬＣＤ（Ｌｉｑｕｉｄ  Ｃｒｙｓｔａｌ  Ｄｉｓｐｌａｙ）ドライバでは、従来、コントラストを調整する電子ボリューム値などの駆動電圧を変更設定するための設定情報は、マイコンなどが備わった外部のシステムから転送されていた。
これに対し、ＬＣＤドライバを備えた表示装置の組み立て時におけるこの設定情報の設定の煩わしさを減らすために、設定情報を不揮発性記憶部に予め記憶させ、電源投入時、これを基に自動的に電子ボリューム値を設定するＬＣＤドライバが提案されている（例えば、特許文献１など）。
【０００３】
【特許文献１】
特開平１０−３０１０８１号公報
【０００４】
【発明が解決しようとする課題】
一方で、例えば、サプライヤー側から提供されるＬＣＤドライバを入手したバイヤー側では、例えば表示部においてその一部の表示領域しか表示駆動に利用しないといった用い方をすることもあることから、ＬＣＤドライバを用いた表示装置の組み立て時には、他にも、表示部における解像度、駆動させるべき画素、または画素を構成するサブ画素（ドット）の配列などの画面情報を設定しなくてはならない。これらの設定は、従来、外部のシステムから各種コマンドをＬＣＤドライバに読込ませることで行っていた。
また、これらの設定は、その情報が設定されたレジスタが、ＥＳＤ（Ｅｌｅｃｔｒｏ  Ｓｔａｔｉｃ  Ｄｉｓｃｈａｒｇｅ）等の外的要因で不意にクリアされてしまうという状況が起こり得た。この状況により、以後、クリアされたレジスタに画面情報が再設定されない限り、ＬＣＤドライバは正常表示を行うことはできない。
【０００５】
本発明は上述した課題に鑑みてなされ、その目的は、表示部における画面情報を自動的に設定するための表示駆動装置、電気光学装置および電子機器、表示駆動装置の駆動設定方法を提供することにある。
さらに他の目的は、設定された画面情報がクリアされることによる表示異常を抑制するための表示駆動装置、電気光学装置および電子機器を提供することにある。
【０００６】
【課題を解決するための手段】
（１）上述課題を解決するため、本発明の表示駆動装置は、画素が形成された表示部を駆動する駆動手段と、前記表示部のうち、駆動させる画素の位置を示す画面情報を記憶する不揮発性記憶手段と、前記不揮発性記憶手段から画面情報を読出す読出手段と、前記駆動手段に対して、前記読出手段により読出された画面情報に基づく位置を設定する駆動設定手段とを有することを特徴とする。
これにより、表示部における画面情報を自動的に設定することができるようになり、従来における画面調整の煩雑さを解消することができるようになる。
【０００７】
（２）また、本発明は、上記（１）に記載の表示駆動装置において、前記読出手段は、電圧を供給する電源回路から電源電圧が供給されるのに同期して、前記不揮発性記憶手段から画面情報を読出すことを特徴とする。
このように、電源電圧が供給されるのに同期して、表示部における画面情報が自動的に設定されるようになり、従来における画面調整の煩雑さを解消することができるようになる。
【０００８】
（３）また、本発明は、上記（１）または（２）に記載の表示駆動装置において、前記読出手段は、前記不揮発性記憶手段から画面情報を所定期間毎に読出すことを特徴とする。
これにより、随時、画面情報を更新することが可能となり、ＥＳＤ等の外的要因でこの設定された画面情報が不意にクリアされてしまうという期間を最小限に抑えることができるようになる。
【０００９】
（４）また、本発明は、上記（１）乃至（３）のいずれかに記載の表示駆動装置において、前記不揮発性記憶手段には、表示情報が記憶されており、前記読出手段は、前記不揮発性記憶手段から表示情報を読出し、前記駆動手段は、前記読出手段により読出された表示情報を、前記表示部に表示させることを特徴とする。
このように、画面情報の設定と同期して、ロット番号などの表示情報を表示させるようにしてもよい。
【００１０】
（５）また、本発明は、上記（１）乃至（４）のいずれかに記載の表示駆動装置を備えた電気光学装置として用いることができる。
【００１１】
（６）また、本発明は、上記（５）に記載の電気光学装置を備えた電子機器として用いることができる。
【００１２】
（７）また、本発明における表示駆動装置の駆動設定方法は、画素が形成された表示部のうち、駆動させる画素の位置を示す画面情報を記憶する不揮発性記憶手段から画面情報を読出し、読出された画面情報に基づく位置を設定し、前記表示部における該設定された位置を駆動することを特徴とする。
【００１３】
【発明の実施の形態】
以下、図面を用いて、本発明の実施の形態を詳細に説明する。
【００１４】
＜第１の実施形態＞
図１，２を用いて、本第１の実施形態における表示駆動装置の構成を説明する。
図１は、本形態における表示駆動装置１００を備えた液晶装置１０のブロック図を示している。
表示駆動装置１００は、電源電圧を昇圧する電圧生成回路１３２から供給された電圧に基づく駆動電圧を、ＬＣＤ１５０に供給する。Ｙ駆動回路３０は、ＬＣＤ１５０における走査線（図示せず）に選択電圧を供給する回路である。Ｘ駆動回路２０は、ＬＣＤ１５０におけるデータ線（図示せず）に駆動電圧を供給する回路である。
【００１５】
ＥＥＰＲＯＭ１４２は、ＬＣＤ１５０に形成されたサブ画素（ドット）範囲のうち、駆動される画素位置を設定した画面情報を記憶している。例えば、図３（ａ）に示すように左端から順にＲＧＢ単位のドットが形成されたＬＣＤ１５０において、図３（ｂ）に示す範囲ｚが用いられない場合（この場合、左側から順にＢＲＧという単位のドット配列になる）、画面情報は、この範囲ｚを除く範囲を示す情報として設定される。
【００１６】
図２は、この表示駆動装置１００の構成を示している。
表示駆動装置１００には、表示用のフレームメモリとして機能する表示データＲＡＭ（Ｒａｎｄｏｍ  Ａｃｃｅｓｓ  Ｍｅｍｏｒｙ）１２２が設けられている。
【００１７】
入出力バッファ回路１１０から送信されたＲ（Ｒｅｄ）Ｇ（Ｇｒｅｅｎ）Ｂ（Ｂｌｕｅ）を示す表示データＤを受信した制御回路１１２は、Ｉ／Ｏバッファ回路１１６にこの表示データＤを送信する。
【００１８】
ＲＯＭ制御回路１４０は、ＥＥＰＲＯＭ１４２に記憶された画面情報の読出し、またはＥＥＰＲＯＭ１４２への書込みを行う。
ＲＯＭ制御回路１４０は、外部からリセット信号が入力され、表示駆動装置１００のシステム始動がなされるのと同期して、ＥＥＰＲＯＭ１４２にアクセスし、記憶されている画面情報を読出す。このＲＯＭ制御回路１４０は、所定期間毎、例えば一垂直走査期間（１Ｖ）の長さに相当するフレーム周波数の２倍の期間毎にＥＥＰＲＯＭ１４２にアクセスし、読出した画面情報を制御回路１１２に送信する。
【００１９】
制御回路１１２は、コマンドデコーダ（図示せず）から供給される表示コマンドに基づいて、表示データＲＡＭ１２２に対して、読出し（リード）または書込み（ライト）動作を指示する。
また、制御回路１１２は、タイミングパルスとしてのクロック信号ＣＬＫ、水平同期信号Ｈｓｙｎｃ、垂直同期信号Ｖｓｙｎｃ、ＰＷＭ（パルス幅変調）を行わせる階調制御信号ＧＣＰ（Ｇｒａｙｓｃａｌｅ  Ｃｏｎｔｒｏｌ  Ｐｕｌｓｅ）などの制御信号を生成する。この制御信号がカラムアドレス制御回路１１８およびページアドレス制御回路１２０に供給されることで、リードまたはライト動作に伴って、これらの回路１１８，１２０内の各々で記憶されるカウンタのセットまたはリセットが行われる。これにより、Ｉ／Ｏバッファ回路１１６に記憶された表示データＤが表示データＲＡＭ１２２に順次書き込まれる。
【００２０】
画面情報を受信した制御回路１１２は、この画像情報に示される駆動位置に基づいて、カラムアドレス制御回路１１８およびページアドレス制御回路１２０に表示データＲＡＭ１２２の書込みアドレスを指定する。
ここで、図４に示すように、縦３１６ドット・横１２００ドットで形成されたＬＣＤ１５０において、Ｘ方向の両端各９ドット、かつＹ方向の両端各８ドットが非駆動とされる場合を例に挙げて説明する（つまり駆動されるのは範囲１５０Ａ内）。
【００２１】
制御回路１１２は、カラムアドレス制御回路１１８およびページアドレス制御回路１２０に対して表示データＲＡＭ１２２の書込みアドレスを指定し、表示データＲＡＭ１２２に対して図４に示したような駆動範囲１５０Ａに対応するメモリ素子に表示データＤの情報を書込ませる。この書込まれた表示データＤは、Ｙ方向に、「ＲＧＢ×３９４（Ｘ方向の画素数）＝１１８２ドット」の一ライン表示データとして読出され、ＬＣＤ駆動回路１２４により、ＬＣＤ１５０に供給される駆動電圧へと変換される。
【００２２】
なお、ここで、図３に示したように仮にドットの配列が変化するとき、左端から見た場合にＢＲＧのサブ画素で一単位の画素を表すことから、制御回路１１２は、カラムアドレス制御回路１１８およびページアドレス制御回路１２０に対して、表示データＲＡＭ１２２入力バッファ回路１１０から送信されてくるＲＧＢ表示データのうち、ＲＧ表示データの書込みアドレスをずらすように指示する。これにより、ＢＲＧを一単位の画素とした表示駆動がＬＣＤ１５０にて行われる。
【００２３】
また、他に、図５に示すように、ＲＯＭ制御回路１４０は、ＥＥＰＲＯＭ１４２から下記に説明するようなデータモードの変換情報を読出す。制御回路１１２は、この変換情報に基づいて、入出力バッファ回路１１０から送信されたＲ（Ｒｅｄ）Ｇ（Ｇｒｅｅｎ）Ｂ（Ｂｌｕｅ）を示す表示データＤを受信し、例えば、６ビット単位のデータモードと４ビット単位のデータモードとを変換情報が定義された変換テーブルに基づいて相互に変換する。このとき、４ビット単位の表示データ「１０１０」は、変換テーブルにより６ビット単位の表示データ「１０１１０１」に変換される。そして、この変換後の表示データ「１０１１０１」に対応する駆動電圧がＬＣＤ１５０に供給される。
これにより、低解像度の表示データを高解像度で表示することが可能となる。
【００２４】
このように、電源の投入と同期して、ＬＣＤにおける駆動させるべき画素、またはその画素を構成するドットの配列や解像度などの画面情報が自動的に設定されるようになったことで、従来、外部システムなどにより適宜行われていた画面調整の煩雑さを解消することができるようになる。
【００２５】
（表示駆動装置の他の形態）
なお、図１に示した上述の第１の実施形態の表示駆動装置１００においては、ＲＯＭ制御回路１４０により所定期間毎、例えば一垂直走査期間（１Ｖ）の長さに対応するフレーム周波数の２倍の期間毎にＥＥＰＲＯＭ１５０にアクセスし、読出した画面情報を制御回路１１２に送信させてもよい。そして、制御回路１１２に、上述したような画面情報の再設定を行わせる。これにより、随時、画面情報を更新することが可能となり、既にカラムアドレス制御回路１１８およびページアドレス制御回路１２０に対しての書込み設定がなされた制御回路１１２のレジスタが、ＥＳＤ等の外的要因で設定が不意にクリアされてしまうという期間を最小限に抑えることができるようになる。
【００２６】
＜第２の実施形態＞
次に、本第２の実施形態における表示駆動装置について説明する。本形態における表示駆動装置では、図２の表示駆動装置１００において、本装置を特定可能なユニークなロット番号情報が、ＬＣＤ１５０に表示情報として表示駆動されるものである。本形態における表示駆動装置のＥＥＰＲＯＭ１４２には、予めロット番号情報が記憶されている。以下、便宜的に図２を用いて本形態の表示駆動装置について説明する。
【００２７】
本形態の表示駆動装置では、ＲＯＭ制御回路１４０は、外部からリセット信号が入力され、表示駆動装置１００のシステム始動がなされるのと同期して、ＥＥＰＲＯＭ１４２にアクセスし、記憶されているロット番号情報を読出す。ＲＯＭ制御回路１４０は、この読出した画面情報を制御回路１１２に送信する。制御回路１１２は、Ｉ／Ｏバッファ回路１１６に、受信したロット番号情報を送信する。これにより、表示データＲＡＭ１２２にロット番号情報が書込まれる。そして、ＬＣＤ駆動回路１２４によりＬＣＤ１５０に表示駆動される。図６には、ロット番号情報として例えば「シリアルＮｏ．ＡＢＣＤ１２３４」がＬＣＤ１５０に表示された場合を示す。
【００２８】
これにより、電源の投入と同期して、ＬＣＤにおける画面情報が自動的に設定されと共に、従来、外部システムなどによるコマンド、あるいはシールなどで管理していたロット番号情報を、その電源の投入と同時に確認することができるようになる。
【００２９】
＜本発明が適用される様々な形態＞
なお、上述の実施形態で説明した第１，２の実施形態における表示駆動装置は一例であり、本発明は、その趣旨から逸脱しない範囲で様々な形態を採ることが可能である。
例えば、上述の図２の表示駆動装置１００における他の形態において、制御回路１１２における画面情報を記憶したレジスタがＥＳＤ等の外的要因で消去されてしまった場合を説明したが、この他、リセット信号を発信させるリセット命令がこれらの外的要因で発生し、表示駆動装置１００のこれらのレジスタが不意にリセットされてしまった場合にも、表示異常の期間を最小限に抑えることができる。
【００３０】
また、上述の図２の表示駆動装置１００として、表示データＲＡＭ１２２を備えた装置を一例として取り上げ説明したが、これに限ることはなく、表示データＲＡＭ１２２が備わっていない表示駆動装置についても適用することができる。
【００３１】
また、上述の図１，２の表示駆動回路１００では、特に表示駆動にかかる部分の駆動制御装置１０２の外部に、電圧生成回路１３２およびＥＥＰＲＯＭ１４２とを設けた構成として説明を進めたが（つまり１つのＩＣとして形成されていない場合）、これは一例であり、この電圧生成回路１３２およびＥＥＰＲＯＭ１４２の少なくとも一方が１つのＩＣとして駆動制御装置１０２に含まれることもあり得る。
【００３２】
また、上述の第２の実施形態の表示駆動装置では、表示情報として一体的な装置（ＩＣ）としてロット番号情報がＬＣＤ１５０に表示されたが、この他、例えば電圧生成回路１３２自体が別個のＩＣとして一体的に形成されている場合、この電圧生成回路１３２のロット番号情報を記憶しておいてもよい。これは、他に、ＬＣＤ１５０、ＥＥＰＲＯＭ１４２、またはＬＣＤ駆動回路１２４などについても同様である。
また、ＬＣＤ１５０にロット番号情報を表示させるにあたっては、このロット番号情報を、上述のように表示データＲＡＭ１２２を介してＬＣＤ１５０に表示出力することの他、表示データＲＡＭ１２２を介さずに直接にＬＣＤ駆動回路１２４に転送し、表示出力させてもよい。
【００３３】
＜電気光学装置および電子機器＞
例えば図１の液晶装置１０に示したように、上述の実施形態およびその様々な適用形態における表示駆動装置と、表示部としてのＬＣＤ１５０とを一体として備えた液晶装置として用いることができる。
【００３４】
図７は、上記液晶装置１０を搭載した携帯電話機２００の外観図である。この図において、携帯電話機２００は、複数の操作ボタン２１０の他、受話口２２０、送話口２３０と共に、電話番号などの各種情報を表示する表示部として液晶装置１０を備えている。
また、携帯電話機２００以外にも、本発明の表示駆動装置を備えた液晶装置１０は、コンピュータや、プロジェクタ、デジタルカメラ、ムービーカメラ、ＰＤＡ（Ｐｅｒｓｏｎａｌ  Ｄｉｇｉｔａｌ  Ａｓｓｉｓｔａｎｔ）、車載機器、複写機、オーディオ機器などの各種電子機器に用いることができる。また、この本発明の表示駆動装置は、液晶装置の他、ＥＬ（エレクトロ・ルミネッセンス）、プラズマディスプレイ、電気泳動装置（ＥＰＤ）、電気放出装置（ＦＥＤ）などの電気光学装置についても適用することができる。
【図面の簡単な説明】
【図１】本発明の表示駆動装置を備えた液晶装置を示す図である。
【図２】第１実施形態における表示駆動装置のブロック図である。
【図３】同装置においてドットの配列を説明するための図である。
【図４】同装置において駆動される範囲を説明するための図である。
【図５】同装置において解像度情報の変換処理を説明するための図である。
【図６】第２実施形態における表示駆動装置により出力されるロット番号情報を示す図である。
【図７】第１実施形態の液晶装置を備えた電子機器を示す図である。
【符号の説明】
１０…液晶装置、１００…表示駆動装置、１１０…入出力バッファ回路、１１２…制御回路、１１６…Ｉ／Ｏバッファ回路、１１８…カラムアドレス制御回路、１２０…ページアドレス制御回路、１２２…表示データＲＡＭ、１２４…ＬＣＤ駆動回路、１３２…電圧生成回路、１４０…ＲＯＭ制御回路、１４２…ＥＥＰＲＯＭ、１５０…ＬＣＤ、２００…携帯電話機。
【図１】
2004294524.tif 000003
【図２】
2004294524.tif 000004
【図３】
2004294524.tif 000005
【図４】
2004294524.tif 000006
【図５】
2004294524.tif 000007
【図６】
2004294524.tif 000008
【図７】
2004294524.tif 000009